(57)【要約】【課題】情報機器端末装置の内部に組み込まれている場合においても、情報機器端末装置の外に出すことなく、記録紙を設置することができるプリンタ装置を提供する。【解決手段】記録紙が設置される記録紙ホルダを有するプリンタ本体部と、前記プリンタ本体部が回転軸を中心に回動可能な状態で取り付けられている筐体部と、前記プリンタ本体部に取り付けられた前記記録紙に印字を行うプリントヘッド及びプラテンローラを有するプリンタメカ部と、を有することを特徴とするプリンタ装置により上記課題を解決する。【選択図】  図３
2017081015.tif 000002
【特許請求の範囲】
【請求項１】
記録紙が設置される記録紙ホルダを有するプリンタ本体部と、
前記プリンタ本体部が回転軸を中心に回動可能な状態で取り付けられている筐体部と、
前記プリンタ本体部に取り付けられた前記記録紙に印字を行うプリントヘッド及びプラテンローラを有するプリンタメカ部と、
を有することを特徴とするプリンタ装置。
【請求項２】
前記筐体部には制御基板が取り付けられており、
前記制御基板と前記プリンタメカ部とは接続ケーブルにより接続されており、
前記接続ケーブルは、前記回転軸の軸方向の延長線上を通るように設置されていることを特徴とする請求項１に記載のプリンタ装置。
【請求項３】
前記プリンタ本体部には、溝部内を移動するロックシャフトが設けられており、
前記筐体部には、前記ロックシャフトが入る開口部が設けられており、
前記プリンタ本体部と前記筐体部とが閉じられた状態では、前記ロックシャフトが前記開口部に入り込むことを特徴とする請求項１または２に記載のプリンタ装置。
【請求項４】
前記プリンタ本体部の前記記録紙ホルダ側には、記録紙を送るための記録紙送りボタンが設けられていることを特徴とする請求項１から３のいずれかに記載のプリンタ装置。
【発明の詳細な説明】
【技術分野】
【０００１】
本発明は、プリンタ装置に関する。
【背景技術】
【０００２】
プリンタは、商店等のレジスタ、銀行等におけるＡＴＭ（Automated Teller Machine）やＣＤ（Cash dispenser）等の用途に幅広く用いられている。プリンタ装置には、プリンタ本体部と、プリンタ本体部に回動可能な状態で支持された蓋部が設けられたものがあり、蓋部を開くことにより記録紙ホルダに、ロール状に巻かれた記録紙を入れることができる。
【先行技術文献】
【特許文献】
【０００３】
【特許文献１】特開２００３−２４６１０４号公報
【特許文献２】特開２０１３−９５０４６号公報
【特許文献３】特開２００１−２１３５５１号公報
【特許文献４】実開昭６３−８４０５４号公報
【特許文献５】実開平２−５７８５８号公報
【発明の概要】
【発明が解決しようとする課題】
【０００４】
ところで、上述したプリンタ装置は、図１（ａ）に示すように、発券装置等の情報機器端末装置９１０の内部にプリンタ装置９２０が組み込まれて使用されている場合がある。プリンタ装置９２０は、プリンタ本体部９２１と蓋部９２２とを有している。蓋部９２２は開閉することができるように、プリンタ本体部９２１に回動可能な状態で取り付けられており、記録紙９３０を設置するための記録紙ホルダは、プリンタ本体部９２１に設けられている。
【０００５】
尚、このようなプリンタ装置９２０においては、例えば、プリンタ本体部９２１にプリントヘッドが設けられており、蓋部９２２にプラテンローラが設けられており、蓋部９２２を閉じることにより、記録紙はサーマルヘッドとプラテンローラとの間に挟まれてサーマルヘッドによる印字が可能となる。
【０００６】
従って、プリンタ装置９２０に記録紙９３０を設置する際には、蓋部９２２を開いてプリンタ本体部９２１に設けられた記録紙ホルダ内に記録紙９３０を入れるが、プリンタ装置９２０が情報機器端末装置９１０の内部に組み込まれている場合、情報機器端末装置９１０の内部には、蓋部９２２を開くスペースが設けられていない。
【０００７】
このため、情報機器端末装置９１０には、プリンタ装置９２０を情報機器端末装置９１０の外に出すためのスライドレール９１１等が設けられており、図１（ｂ）に示すように、スライドレール９１１等を引き出して、プリンタ装置９２０を情報機器端末装置９１０の外に出して、プリンタ装置９２０の蓋部９２２を開きロール状に巻かれた記録紙９３０を入れる必要がある。
【０００８】
従って、情報機器端末装置９１０の内部にプリンタ装置９２０が組み込まれている場合には、情報機器端末装置９１０の周囲には、プリンタ装置９２０に記録紙９３０を設置するためのスライドレール９１１等を引き出すことのできるスペースが必要となる。また、情報機器端末装置９１０においては、スライドレール９１１等を設けることが必要となる。また、情報機器端末装置９１０とプリンタ装置９２０との間には、情報の伝送や電力供給等のためのケーブル９１２が設けられているが、プリンタ装置９２０が情報機器端末装置９１０の外に出される分、ケーブル９１２の長さを長くする必要がある。このため、情報機器端末装置９１０の大型化及び高コスト化等を招いてしまう。
【０００９】
従って、プリンタ装置が情報機器端末装置の内部に組み込まれている状態のまま、即ち、プリンタ装置を情報機器端末装置の外に出すことなく、記録紙を設置することのできるプリンタ装置が求められている。
【課題を解決するための手段】
【００１０】
本実施の形態の一観点によれば、記録紙が設置される記録紙ホルダを有するプリンタ本体部と、前記プリンタ本体部が回転軸を中心に回動可能な状態で取り付けられている筐体部と、前記プリンタ本体部に取り付けられた前記記録紙に印字を行うプリントヘッド及びプラテンローラを有するプリンタメカ部と、を有することを特徴とする。
【発明の効果】
【００１１】
本発明によれば、情報機器端末装置の内部にプリンタ装置が組み込まれている場合において、プリンタ装置を情報機器端末装置の外に出すことなく、プリンタ装置に記録紙を設置することができる。
【図面の簡単な説明】
【００１２】
【図１】情報機器端末装置に取り付けられたプリンタ装置の説明図
【図２】本実施の形態におけるプリンタ装置の側面図（１）
【図３】本実施の形態におけるプリンタ装置の側面図（２）
【図４】本実施の形態におけるプリンタ装置の斜視図（１）
【図５】本実施の形態におけるプリンタ装置の斜視図（２）
【図６】本実施の形態におけるプリンタ装置の断面図
【図７】本実施の形態におけるプリンタ装置で給紙軸を用いたものの説明図
【図８】本実施の形態におけるプリンタ装置の説明図（１）
【図９】本実施の形態におけるプリンタ装置の説明図（２）
【図１０】本実施の形態におけるプリンタ装置の開閉動作の説明図（１）
【図１１】本実施の形態におけるプリンタ装置の開閉動作の説明図（２）
【図１２】本実施の形態におけるプリンタ装置の開閉動作の説明図（３）
【発明を実施するための形態】
【００１３】
本発明を実施するための形態について、以下に説明する。尚、同じ部材等については、同一の符号を付して説明を省略する。
【００１４】
本実施の形態におけるプリンタ装置について、図２から図６に基づき説明する。図２及び図３は、情報機器端末装置に組み込まれている本実施の形態におけるプリンタ装置の側面図であり、図４及び図５は、本実施の形態におけるプリンタ装置の斜視図であり、図６は、断面図である。
【００１５】
本実施の形態におけるプリンタ装置１００は、プリンタ本体部１０と筐体フレーム部２０とを有しており、プリンタ本体部１０は、筐体フレーム部２０に回転軸３０を中心に回動可能な状態で取り付けられている。プリンタ本体部１０には、ロール状に巻かれた記録紙２００が入れられる記録紙ホルダ４０とプリンタメカ部５０とを有している。プリンタメカ部５０には、図６に示されるように、記録紙２００に印字を行うプリントヘッドとなるサーマルヘッド５１と、記録紙２００を搬送するプラテンローラ５２が設けられている、記録紙２００はサーマルヘッド５１とプラテンローラ５２の間に挟まれた状態で、プラテンローラ５２が回転し、記録紙２００を搬送しながら、サーマルヘッド５１により印字がなされる。
【００１６】
筐体フレーム部２０には、本実施の形態におけるプリンタ装置の制御を行うための制御基板６０が取り付けられている。本実施の形態におけるプリンタ装置は、筐体フレーム部２０が、情報機器端末装置３００の内部に固定等されることにより、取り付けられる。制御基板６０には、制御回路を有する半導体素子等の他に、第１のコネクタ６１、第２のコネクタ６２、第３のコネクタ６３が設けられている。
【００１７】
制御基板６０に設けられた第１のコネクタ６１には、第１の接続ケーブル７１の一方が接続されており、第２のコネクタ６２には、第２の接続ケーブル７２の一方が接続されており、第１の接続ケーブル７１の他方、及び、第２の接続ケーブル７２の他方は、情報機器端末装置３００の内部の不図示のコネクタ等と接続されている。第３のコネクタ６３には、第３の接続ケーブル７３の一方が接続されており、第３の接続ケーブル７３の他方は、プリンタメカ部５０に接続されている。
【００１８】
本実施の形態におけるプリンタ装置１００は、図２及び図４に示されるように、プリンタ本体部１０における記録紙ホルダ４０内にロール状に巻かれた記録紙２００が入れられ、筐体フレーム部２０とプリンタ本体部１０とが閉じられた状態で使用される。この状態においては、ロール状に巻かれた記録紙２００は、プリンタ本体部１０における記録紙ホルダ４０と、筐体フレーム部２０により覆われる。
【００１９】
記録紙ホルダ４０内にロール状に巻かれた記録紙２００を設置する際には、最初に、回転軸３０を中心にプリンタ本体部１０を開く方向に回動させることにより、プリンタ本体部１０を開く。具体的には、図２において、回転軸３０を中心に反時計回りにプリンタ本体部１０を回動させることにより、プリンタ本体部１０を開く。これにより、図３及び図５に示されるように、プリンタ本体部１０における記録紙ホルダ４０が開く。このように開いた記録紙ホルダ４０の内に、ロール状に巻かれた記録紙２００を入れる。
【００２０】
また、プリンタ本体部１０の記録紙ホルダ４０側には記録紙２００を送るために操作される記録紙送りボタン１１が設けられる。記録紙ホルダ４０が開いている状態においては、図５に示されるように、プリンタ本体部１０の記録紙ホルダ４０側に設けられた記録紙送りボタン１１が露出する。記録紙送りボタン１１は、記録紙２００をセットするための動作をさせるためのボタンである。具体的には、記録紙ホルダ４０内にロール状に巻かれた記録紙２００を入れ、記録紙２００の先端をサーマルヘッド５１とプラテンローラ５２との間に入れた後、記録紙送りボタン１１を押すことにより、記録紙２００が所定の長さ搬送され、記録紙２００の先端部分が不図示のカッター等により切断される。これにより、記録紙２００が印字可能な状態にセットされる。本実施の形態においては、プリンタ本体部１０が開かれた状態において、記録紙送りボタン１１を押すことができるため、記録紙２００がセットされたことを確認した後、プリンタ本体部１０を閉じることができる。
【００２１】
記録紙ホルダ４０内にロール状に巻かれた記録紙２００を設置した後は、回転軸３０を中心にプリンタ本体部１０を閉じる方向に回動させることにより、プリンタ本体部１０を閉じる。具体的には、図３において、回転軸３０を中心に時計回りにプリンタ本体部１０を回動させることにより、図２及び図４に示されるように、プリンタ本体部１０が閉じられる。
【００２２】
また、本実施の形態においては、記録紙ホルダ４０内に設置されたロール状に巻かれた記録紙２００がセットされた状態で、プリンタ本体部１０が閉じられるため、ロール状に巻かれた記録紙２００において巻き弛み等が生じることもない。
【００２３】
尚、本実施の形態におけるプリンタ装置においては、図６に示されるように、記録紙ホルダ４０内に設置されたロール状に巻かれた記録紙２００は、プリンタ本体部１０に設けられる記録紙２００にテンションを与える記録紙テンションシャフト１２を介し、上部記録紙ガイド１３と下部記録紙ガイド１４との間を通り、サーマルヘッド５１とプラテンローラ５２との間に供給され、サーマルヘッド５１による印字がなされる。サーマルヘッド５１による印字のなされた記録紙２００は、プリンタメカ部５０に設けられた排紙口５３より排紙される。
【００２４】
本実施の形態におけるプリンタ装置においては、情報機器端末装置３００内にプリンタ装置１００が入れられた状態のまま、回転軸３０を中心に回動させてプリンタ本体部１０を開くことができるため、プリンタ装置１００にロール状に巻かれた記録紙２００を入れる際には、プリンタ装置１００を情報機器端末装置３００の外に出す必要がない。よって、プリンタ装置１００を情報機器端末装置３００の外に出すためのスペースを設ける必要がなく、また、情報機器端末装置３００にはスライドレール等を設ける必要がない。また、プリンタ装置１００を情報機器端末装置３００の外に出す必要がないことから、プリンタ装置１００と情報機器端末装置３００とを接続する第１の接続ケーブル７１及び第２の接続ケーブル７２の長さを必要最小限にすることができる。これにより、プリンタ装置１００が組み込まれた情報機器端末装置３００を小型化にすることができるとともに、低コストにすることができる。
【００２５】
上記においては、ロール状に巻かれた記録紙２００は、給紙軸等を用いることなく、落とし込み方式により記録紙ホルダ４０内に設置されるプリンタ装置について説明したが、図７に示されるように、ロール状に巻かれた記録紙２００の中心に給紙軸２１０を通し、給紙軸２１０が通されたロール状に巻かれた記録紙２００を記録紙ホルダ４０内に設置するものであってもよい。この場合には、記録紙ホルダ４０の内部には、給紙軸２１０の両側を回転可能な状態で支持する不図示の支持部材が設けられている。
【００２６】
次に、プリンタメカ部５０と制御基板６０とを接続する第３の接続ケーブル７３について、図８及び図９に基づき説明する。本実施の形態におけるプリンタ装置においては、第３の接続ケーブル７３は、回転軸３０の軸方向の延長線上を通るように設置されている。このように、第３の接続ケーブル７３を設置することにより、プリンタ本体部１０が回転軸３０を中心に回動した場合でも、第３の接続ケーブル７３はプリンタ本体部１０に伴い動くのみである。よって、プリンタ本体部１０の回動を考慮して、第３の接続ケーブル７３の長さを長くする必要がない。
【００２７】
また、本実施の形態におけるプリンタ装置においては、図１０に示されるように、プリンタ本体部１０には、プリンタ本体部１０が閉じられている状態を保持するためのロックシャフト８１と、ロックシャフト８１に接続されているレバー８２、ロックシャフト８１に一方の端部が接続されたバネ８３が設けられる。バネ８３の他方の端部はプリンタ本体部１０に接続されている。ロックシャフト８１は、バネ８３が縮む方向つまり図１０上方向に付勢される。プリンタ本体部１０には、図１１及び図１２に示されるように、ロックシャフト８１が入り移動する細長い溝部８４が設けられており、ロックシャフト８１は溝部８４の内部において上下方向に移動することができる。
【００２８】
一方、筐体フレーム部２０には、図１１（ｃ）及び図１２（ａ）に示されるように、ロックシャフト８１が入る開口部２１が設けられており、図１０等にも示されるように、開口部２１のレバー８２が位置する側には傾斜部２２が設けられており、開口部２１と傾斜部２２との間には、下側に凸となる凸部２３が形成されている。本実施の形態におけるプリンタ装置においては、プリンタ本体部１０に設けられたロックシャフト８１が筐体フレーム部２０に設けられた開口部２１内に入り込むことにより、プリンタ本体部１０が閉じられた状態が維持される。
【００２９】
本実施の形態におけるプリンタ装置において、プリンタ本体部１０の開閉動作について説明する。最初に、本実施の形態におけるプリンタ装置において、プリンタ本体部１０を開く場合について説明する。
【００３０】
本実施の形態におけるプリンタ装置のプリンタ本体部１０を開く際には、図１１に示されるように、プリンタ本体部１０に設けられたレバー８２を下方向、即ち、破線矢印Ａに示す方向に押す。
【００３１】
図１１（ａ）に示されるように、プリンタ本体部１０に設けられたレバー８２を下方向、即ち、破線矢印Ａに示す方向に押すことにより、レバー８２に連動してロックシャフト８１が下げられるため、ロックシャフト８１は溝部８４内を下方向に移動する。これにより、ロックシャフト８１は、筐体フレーム部２０の開口部２１の奥から入り口に向けて下側に移動するが、この状態においては、ロックシャフト８１は、筐体フレーム部２０と接触している。
【００３２】
更に、図１１（ｂ）に示されるように、プリンタ本体部１０に設けられたレバー８２を更に下方向、即ち、破線矢印Ａに示す方向に押すことにより、レバー８２に連動してロックシャフト８１は更に下げられるため、ロックシャフト８１は溝部８４内を下方向に移動する。これにより、ロックシャフト８１は、筐体フレーム部２０の開口部２１の入り口近傍まで移動するが、この状態においても、まだ、ロックシャフト８１は、筐体フレーム部２０と接触している。
【００３３】
更に、図１１（ｃ）に示されるように、プリンタ本体部１０に設けられたレバー８２を下方向に押すことにより、レバー８２に連動してロックシャフト８１は更に下げられ、ロックシャフト８１は溝部８４内を下方向に移動する。ロックシャフト８１は、筐体フレーム部２０の開口部２１よりも外に出て、ロックシャフト８１と筐体フレーム部２０とが離れる。この状態において、プリンタ本体部１０を破線矢印Ｂに示す方向に回動させることにより、プリンタ本体部１０を開くことができる。尚、レバー８２の操作をやめるとロックシャフト８１はバネ８３の力により上方へ復帰する。
【００３４】
次に、プリンタ本体部１０を閉じる場合について説明する。プリンタ本体部１０を閉じる際には、回転軸３０を中心に、プリンタ本体部１０を閉じる方向、即ち、破線矢印Ｃに示す方向に回動させる。これにより、図１２（ａ）に示されるように、プリンタ本体部１０におけるロックシャフト８１が、筐体フレーム部２０に設けられた傾斜部２２と接触する。このとき、ロックシャフト８１はバネ８３の力により上方に引き上げられる。
【００３５】
更に、回転軸３０を中心に、プリンタ本体部１０を閉じる方向、即ち、破線矢印Ｃに示す方向に回動させることにより、図１２（ｂ）に示されるように、傾斜部２２に接触するロックシャフト８１は、傾斜部２２に押されて、溝部８４内を下方向に移動し、筐体フレーム部２０の開口部２１と傾斜部２２との間の凸部２３と接触する位置まで移動する。
【００３６】
更に、回転軸３０を中心に、図１２（ｃ）に示されるように、プリンタ本体部１０におけるロックシャフト８１は、プリンタ本体部１０を閉じる方向に回動させることにより、筐体フレーム部２０の開口部２１内に入る。具体的には、凸部２３と接触しているロックシャフト８１が、プリンタ本体部１０を閉じる方向に回動させることにより、開口部２１の入り口まで移動し、バネ８３の力により、プリンタ本体部１０のロックシャフト８１は溝部８４内を上方向に移動する。これにより、プリンタ本体部１０のロックシャフト８１は、筐体フレーム部２０の開口部２１の奥に入り、プリンタ本体部１０が閉じられた状態が維持される。
【００３７】
以上、本発明の実施に係る形態について説明したが、上記内容は、発明の内容を限定するものではない。
【符号の説明】
【００３８】
１０        プリンタ本体部
１１        記録紙送りボタン
１２        テンションシャフト
１３        上部記録紙ガイド
１４        下部記録紙ガイド
２０        筐体フレーム部
２１        開口部
２２        傾斜部
２３        凸部
３０        回転軸
４０        記録紙ホルダ
５０        プリンタメカ部
５１        サーマルヘッド
５２        プラテンローラ
６０        制御基板
６１        第１のコネクタ
６２        第２のコネクタ
６３        第３のコネクタ
７１        第１の接続ケーブル
７２        第２の接続ケーブル
７３        第３の接続ケーブル
８１        ロックシャフト
８２        レバー
８３        バネ
８４        溝部
１００      プリンタ装置
２００      記録紙
３００      情報機器端末装置
【図１】
2017081015.tif 000003
【図２】
2017081015.tif 000004
【図３】
2017081015.tif 000005
【図４】
2017081015.tif 000006
【図５】
2017081015.tif 000007
【図６】
2017081015.tif 000008
【図７】
2017081015.tif 000009
【図８】
2017081015.tif 000010
【図９】
2017081015.tif 000011
【図１０】
2017081015.tif 000012
【図１１】
2017081015.tif 000013
【図１２】
2017081015.tif 000014